(57)【要約】【課題】指先だけで極めて容易に結束対象物を結束できるとともに、長尺物の中央部などであっても直接に結束具を巻回することができ、当該結束具を取り外すのも容易であり、且つ構造が簡単で安価な結束具を提供する。【解決手段】エラストマー製の環状部２の略対向する位置に把持部３と係止部４が一体的に着設されてなり、把持部３をもって環状部２を引き延ばしながら結束対象物に巻回してから、当該把持部３付近の環状部２を係止部４に掛止することにより結束対象物を結束可能としたことを特徴とする結束具１である。【選択図】図１
0003164115.tif 000002
【実用新案登録請求の範囲】
【請求項１】
エラストマー製の環状部の略対向する位置に把持部と係止部が一体的に着設されてなる形状であり、
把持部をもって環状部を引き延ばしながら結束対象物に巻回してから、当該把持部付近の環状部を係止部に掛止することにより結束対象物を結束可能としたことを特徴とする結束具。
【請求項２】
把持部と係止部の間で環状部の内幅が２〜１０ｍｍとされていることを特徴とする請求項１に記載の結束具。
【請求項３】
把持部付近の環状部の内幅が係止部付近の環状部の外幅よりも広く形成されていることを特徴とする請求項２に記載の結束具。
【請求項４】
係止部は横幅が環状部の外幅よりも広く、厚さが環状部の内幅よりも薄い扁平な形状であることを特徴とする請求項２に記載の結束具。
【請求項５】
把持部及び／又は係止部は、動物又は植物が図案化された形状であることを特徴とする請求項１乃至請求項４のいずれかに記載の結束具。
【請求項６】
エラストマーがシリコーンゴムからなることを特徴とする請求項１乃至請求項５のいずれかに記載の結束具。
【考案の詳細な説明】
【技術分野】
【０００１】
本考案は、箱の蓋を押さえたり、長尺物を束ねたり、袋の開口を閉じたりするための輪ゴム状の結束具に関し、更に詳しくは、指先だけで極めて容易に結束対象物を結束できるとともに、長尺物の中央部等であっても直接巻回することができ、当該結束具を取り外すのも容易であり、且つ構造が簡単で結束対象物を傷付けることのない、安価な結束具に関する。
【背景技術】
【０００２】
従来から、弁当箱等の蓋を押さえたり、長尺物を束ねたり、袋の開口をとじたりする目的で、構造が極めて単純で安価な輪ゴムが広く用いられている。
このような輪ゴムで長尺物等を結束する場合、輪ゴムに長尺物等の端部を挿入し、結束力が適当な強さになる程度の回数だけ輪ゴムを長尺物の端部に巻回してから、巻回した輪ゴムを長尺物の中央部に移動させる。
しかしながら、輪ゴムを長尺物の中央部に移動させるには、端部に巻回された輪ゴムを一旦指などで押し広げ、その状態を維持しつつ慎重に移動させる必要があるので、極めて煩雑であった。
【０００３】
上記のような問題を解消するために、長尺物等の中央部に直接巻回することができる輪ゴム状の結束具として、任意のサイズの輪ゴムに少なくとも１個のフックを取り付けてなる結束具（特許文献１参照）が提案されている。
【先行技術文献】
【特許文献】
【０００４】
【特許文献１】特開２００２−１０４４９１号公報
【考案の概要】
【考案が解決しようとする課題】
【０００５】
しかしながら、特許文献１の結束具を用いて結束する場合、輪ゴムの一部を片手の指で掴んで反対の手でフックを掴み、フック側を結束対象物の周りに巻回して最終的にフックを輪ゴムに掛止することになるが、輪ゴムを掴んでいる指が邪魔になり、効率よくフックを掛止することができない。
また、輪ゴムを結束対象物の周りに巻回する巻き回数を増やして強く結束する場合は輪ゴムが細く捩れ、フックを掛けるような隙間が無くなり、フックを掛けることが困難になる。更に、フックは金属や硬質プラスチック板状材料を折り曲げて成形し、輪ゴムを挿通できる環状体と鉤形フックとからなり、環状体の割れ目から輪ゴムを挿入して取り付けるが、フックの製造及びフックの輪ゴムへの取り付けという煩雑な工程が必要でコストアップとならざるを得ない。
また、折角取り付けた輪ゴムがフックの割れ目から離脱する恐れがあり、更にまた、フックが結束対象物に当接して傷を付ける恐れがある。
【０００６】
本考案の課題は、上記実情に鑑み、上記従来技術の問題を解消し、指先だけで極めて容易に結束対象物を結束できるとともに、長尺物等の中央部にも直接に巻回することができ、当該結束具を取り外すのも容易であり、結束対象物に傷を付ける恐れがなく、構造が簡単で安価な結束具を提供することにある。
【課題を解決するための手段】
【０００７】
上記目的を達成するための本考案の特徴の第１は、エラストマー製の環状部の略対向する位置に把持部と係止部が一体的に着設されてなる形状であり、把持部をもって環状部を引き延ばしながら結束対象物に巻回してから、当該把持部付近の環状部を係止部に掛止することにより結束対象物を結束可能とした結束具を内容とする。
【０００８】
本考案の特徴の第２は、把持部と係止部の間で環状部の内幅が２〜１０ｍｍとされている上記の結束具を内容とする。
【０００９】
本考案の特徴の第３は、把持部付近の環状部の内幅が係止部付近の環状部の外幅よりも広く形成されている上記の結束具を内容とする。
【００１０】
本考案の特徴の第４は、係止部は横幅が環状部の外幅よりも広く、厚さが環状部の内幅よりも薄い扁平な形状である上記の結束具を内容とする。
【００１１】
本考案の特徴の第５は、把持部及び／又は係止部は、動物又は植物が図案化された形状である上記の結束具を内容とする。
【００１２】
本考案の特徴の第６は、エラストマーがシリコーンゴムからなる上記の結束具を内容とする。
【考案の効果】
【００１３】
本考案の結束具は、エラストマー製の環状部の略対向する位置にエラストマー製の把持部と係止部が一体的に着設されてなるので、把持部を指で持って環状部を結束対象物に巻回すれば、係止部を環状部に掛止する際に指が邪魔にならず、指先だけで極めて容易に結束対象物を結束することができ、長尺物の中央部等任意の位置に直接巻回することができ、当該結束具を取り外すのも容易である。
【００１４】
把持部と係止部の間で環状部の内幅を２〜１０ｍｍとすれば、二重に結束した如く十分な結束力が得られるとともに、係止部を容易に環状部内に挿入して掛止することができ、結束対象物を一層効率よく結束することができる。
また、把持部付近の環状部の内幅を係止部付近の環状部の外幅よりも広く形成すれば、把持部付近の環状部が係止部に掛止し易くなるとともに、掛止した把持部が不意に外れるといったトラブルを防止できる。
【００１５】
係止部の正面向きの幅を環状部の内幅よりも大きくするとともに、係止部の厚さを環状部の内幅よりも薄い扁平な形状とすれば、係止部を横向き、即ち、薄い偏平面を把持部付近の環状部に挿入し係止部に掛止するのが容易になるとともに、挿入した後に係止部を正面向きにすれば当該係止部は環状部内から外れにくくなり、確実に掛止することができる。
【００１６】
把持部及び／又は係止部の形状としては、動物又は植物が図案化された形状とすることにより、興趣性、装飾性に富んだ結束具を得ることができる。
また、結束具の素材としてエラストマーが使用されるが、特に、シリコーンゴムは電子レンジ内でも使用できるので好ましい。
【図面の簡単な説明】
【００１７】
【図１】図１（ａ）は本考案の実施例１に係る結束具の平面図であり、（ｂ）は把持部付近の環状部を係止部に掛止した場合を示す説明図である。
【図２】図２は実施例２に係る結束具の平面図である。
【図３】図３（ａ）は実施例３に係る結束具の平面図であり、（ｂ）は同じく側面図であり、（ｃ）は係止部を横向きにして把持部付近の環状部を係止部に掛止する場面を示す説明図であり、（ｄ）は（ｃ）から更に係止部を正面向きにした場面を示す説明図である。
【図４】図４（ａ）は実施例４に係る結束具の平面図であり、（ｂ）は把持部付近の環状部を係止部に掛止した場合を示す説明図である。
【図５】図５は実施例５に係る結束具の平面図である。
【図６】図６は実施例１に係る結束具を用いて弁当箱を結束した場面を示す使用状況説明図である。
【図７】図７は実施例３に係る結束具を用いて長尺の野菜（白葱等）を結束した場面を示す使用状況説明図である。
【考案を実施するための形態】
【００１８】
本考案の結束具１は、図１（ａ）に例示したように、エラストマー製の環状部２の略対向する位置に把持部３と係止部４が着設されてなり、把持部３をもって環状部を引き延ばしながら結束対象物に巻回してから、図１（ｂ）に例示したように、当該把持部付近の環状部を係止部に掛止することにより結束対象物を結束可能とされていることを特徴とする。
【００１９】
本考案において環状部２とは、通常の輪ゴムと同様の形状、機能を担う結束対象物の周りを巻回する部分である。
また、本考案における把持部３と係止部４は、前記環状部２の略対向する位置に設けられる。このようにすれば、例えば図１（ａ）に示す如く、把持部３をもって環状部２を引き延ばした際に、把持部３と係止部４の間で環状部２が延伸され、結束対象物の周りを巻回しやすくなる。
【００２０】
把持部３と係止部４の間での環状部２の内幅２Ｗｉは２〜１０ｍｍ程度とするのが好ましい。この程度とすることにより、係止部４の形状や大きさにもよるが、把持部３付近の環状部２を係止部４に掛止するのも容易であり、また、掛止した把持部３が不意に係止部４から外れ落ちる恐れも小さい。また、二重に結束したと同様の十分な結束力が得られる。
【００２１】
また、把持部３と係止部４の間での環状部２の形状は、例えば図１に示したような平行状であってもよいが、例えば図２に示したように、把持部３付近の環状部２の内幅２Ｗｉを係止部４付近の環状部２の外幅２Ｗｏよりも広く形成するのが好ましい。このようにすれば、把持部３付近の環状部２が広いので、係止部４を挿通させ係止部４に掛止することが容易である。また、把持部が不意に係止部から外れる恐れが小さくなる。
【００２２】
係止部４の形状を扁平な形状とし、図３（ａ）（ｂ）に示す如く、当該係止部４の横幅４Ｗｓを環状部２の外幅２Ｗｏよりも広くし、当該係止部４の厚さ４Ｔを環状部２の内幅２Ｗｉよりも薄くすれば、把持部３付近の環状部２に係止部４を挿通させ掛止しやすくなると共に、把持部３が不意に係止部４から外れる恐れが更に小さくなるので好ましい。
即ち、図３（ｃ）に示す如く、係止部４を横向きにすれば、係止部４の厚さ４Ｔは環状部２の内幅２Ｗｉよりも薄いので、把持部３付近の環状部２に係止部４を挿通させ易くなり掛止するのが容易であり、図３（ｄ）に示す如く、掛止した後に係止部４を正面向きにすれば、係止部４の横幅４Ｗｓは環状部２の内幅２Ｗｉよりも広いので、把持部３が不意に係止部４から外れる恐れが小さくなる。
【００２３】
なお、把持部３と係止部４を着設する位置は、必ずしも環状部２の厳密に対向する位置とする必要はなく、例えば図４（ａ）に示したように、略対向する位置である限り、丁度対向する位置から僅かにずれた位置であってもよい。このようにすれば、例えば図４（ｂ）に示したように、把持部３付近の環状部２を係止部４に掛止した際の把持部３と係止部４の位置関係が変化するので、図４では花に蝶が止まっているような、バラエティーに富んだ興趣性のある結束具１を得ることができる。
【００２４】
また、把持部３については環状部２に直接着設するほうが好ましいが、係止部４については、例えば図５に示す如く、延長部４ａ等を介して環状部２に着設してもよい。
環状部への把持部と係止部の着設は、一体的に着設すれば作業性が良く生産性が向上するので好ましい。
【００２５】
把持部３及び係止部４の形状については、把持部３付近の環状部２を係止部４に掛止可能である限り特に限定されないが、動物又は植物が図案化された形状などとすることにより、興趣性、装飾性に富んだ結束具が得られるので好ましい。動物又は植物状の模様は実写的に形成、印刷してもよいし、模式図的に変形したものでもよい。また、動物の体全体を記載してもよいし、顔部分だけを記載してもよい。動物としては例えば、クマ、パンダ、ウサギ、カエル、イヌ、ネコ、ライオン、カバ、ゾウ、キリン、鳥、チョウ、テントウ虫等が、また、植物としては、例えば、サクラ、チューリップ、ヒマワリ、クローバー、リンゴ、バナナ、カボチャ、スイカ等が挙げられる。
例えば、図１に示した実施例１では係止部４が模式化された熊の顔で把持部３が模式化されたリンゴとされ、この結束具で結束した際には全体としてリンゴを食べる熊のイメージになる。同様に、図２に示した実施例２では全体としてイチゴを食べるウサギのイメージとなり、図３に示した実施例３では全体としてクローバーに止まるテントウ虫のイメージとなり、図４に示した実施例４では全体として花の蜜を吸う蝶のイメージとなり、図５に示した実施例５では全体として草花のイメージとなる。
【００２６】
本考案における結束具の材質はエラストマーである限り特に限定されず、天然ゴム、アクリルゴム、ニトリルゴム、イソプレンゴム、ウレタンゴム、エチレンプロピレンゴム、エピクロルヒドリンゴム、クロロプレンゴム、シリコーンゴム、スチレン・ブタジエンゴム、ブタジエンゴム、フッ素ゴム等が利用できるが、耐熱、耐水、耐薬品性に優れ、電子レンジ内で使用できる点でシリコーンゴムが好ましい。
【００２７】
本考案の結束具１は、例えば、結束対象物の表面で係止部付近の環状部を指で押さえ、把持部を指で持って環状部を引き延ばしながら結束対象物に巻回してから、把持部付近の環状部に係止部を挿通して係止部に掛止する。巻回の回数は環状部の長さと結束対象物のサイズ（太さ）により、一回又は複数回で、所望の結束力が得られるように巻回される。具体的には、図６に示した如く弁当箱Ｌｂの蓋を押さえたり、図７に示した如く長尺の野菜Ｌｖ（白葱等）をひとまとめにして束にする等、従来の輪ゴムと同様の用途に用いることができる。しかし、従来の輪ゴムとは異なり、結束対象物が図６に示した弁当箱Ｌｂのように幅広である場合や、図７に示した白葱等Ｌｖのように長尺である場合でも、端部に巻回した輪ゴムを中央部に移動させるような煩雑な二度手間が不要であり、結束対象物の中央部付近に直接、結束具１を巻回することができ、極めて能率的である。
【産業上の利用可能性】
【００２８】
叙上のとおり、本考案の結束具は、エラストマー製の環状部の略対向する位置に把持部と係止部が一体的に着設されてなり、把持部をもって環状部を引き延ばしながら結束対象物に巻回してから、当該把持部付近の環状部を係止部に掛止することにより結束対象物を結束可能とされているので、指先だけで極めて容易に結束対象物を結束できるとともに、長尺物の中央部などであっても直接結束具を巻回することができ、当該結束具を取り外すのも容易である。
また、金属や硬質プラスチックスのフックを後付けする従来の結束具とは異なり、面倒な工程が不要であるので安価であり、また結束対象物を傷付ける恐れもない。
【符号の説明】
【００２９】
１  結束具
２  環状部
２Ｗｉ  内幅
２Ｗｏ  外幅
３  把持部
４  係止部
４ａ  延長部
４Ｗｓ  横幅
４Ｔ  厚さ
Ｌｂ  弁当箱
Ｌｖ  長尺の野菜（白葱等）
【図１】
0003164115.tif 000003
【図２】
0003164115.tif 000004
【図３】
0003164115.tif 000005
【図４】
0003164115.tif 000006
【図５】
0003164115.tif 000007
【図６】
0003164115.tif 000008
【図７】
0003164115.tif 000009